(57)【特許請求の範囲】
【請求項１】
交差配置された複数の線材を接合して構成されるとともに、所定間隔をおいて互いに対向配置された一対の網体と、これらの網体同士を接合する接合部材とで立体的に構成された網状パネル同士を連結する網状パネルの連結部材であって、
前記一方の網体と接合部材との接合位置において各網状パネルに跨って配置される第１の連結材と、
前記第１の連結材に対して各網状パネルの前記一方の網体を挟んで配置される第２の連結材と、
第１および第２の連結材によって各網状パネルにおける前記一方の網体の線材と接合部材との接合部をそれぞれ挟持した状態に、各連結材同士を結合する結合部材と、
を備えて構成され、
前記接合部材は、ジグザグ状に折曲され、各網体における線材の交差部に接合され、
前記第１の連結材は、各網状パネルに連結される２つのパネル連結部と、これらのパネル連結部同士を回動自在に連結するピンとを備えたヒンジ構造とされて各網状パネルに跨って配置され、
前記第１の連結材の各パネル連結部または第２の連結材のいずれか一方は、略長板状に形成され、その中間部は、Ｖ型に折り曲げられて他方の連結材側に突出された断面三角形状の突出部が長手方向に沿って形成された面と、この面の両端に連続して形成されかつ端部が前記突出部の頂部よりも突出している傾斜面とを備えて側面台形状に形成され、
前記第１の連結材の各パネル連結部または第２の連結材のいずれか他方は、略長板状に形成されるとともに、その長手方向に沿って凹溝部が形成され、
前記凹溝部には、交差配置される線材の一方が配置され、
前記突出部の頂部と他方の連結材間には、交差配置される線材の他方および前記接合部材が配置され、
前記突出部と前記他方の連結材とで、前記各線材および接合部材の接合部を挟持している網状パネルの連結部材。
【請求項２】
前記第１の連結材の各パネル連結部は、略長板状に形成され、その中間部は、Ｖ型に折り曲げられて他方の連結材側に突出された断面三角形状の突出部が長手方向に沿って形成された面と、この面の両端に連続して形成されかつ端部が前記突出部の頂部よりも突出している傾斜面とを備えて側面台形状に形成され、
前記第２の連結材は、略長板状に形成されるとともに、その長手方向に沿って凹溝部が形成され、
前記第２の連結材の凹溝部には、交差配置される線材の一方が配置され、
前記第１の連結材の各パネル連結部における突出部の頂部と第２の連結材間には、交差配置される線材の他方および前記接合部材が配置され、
前記第１の連結材の突出部と前記第２の連結材とで、前記各線材および接合部材の接合部を挟持している請求項１に記載の網状パネルの連結部材。
【請求項３】
交差配置された複数の線材を接合して構成されるとともに、所定間隔をおいて互いに対向配置された一対の網体と、これらの網体同士を接合する接合部材とで立体的に構成された網状パネルを支持体に連結する網状パネルの連結部材であって、
前記一方の網体と接合部材との接合位置に配置されるとともに支持体に取り付けられる第１の連結材と、
前記第１の連結材に対して前記一方の網体を挟んで配置される第２の連結材と、
第１および第２の連結材によって網状パネルにおける前記一方の網体の線材と接合部材との接合部を挟持した状態に、各連結材同士を結合する結合部材と、
を備えて構成され、
前記接合部材は、ジグザグ状に折曲され、各網体における線材の交差部に接合され、
前記第１の連結材は、前記網状パネルに連結されるパネル連結部と、支持体に連結される支持体連結部と、これらのパネル連結部および支持体連結部を回動自在に連結するピンとを備えたヒンジ構造とされ、
前記第１の連結材のパネル連結部または第２の連結材のいずれか一方は、略長板状に形成され、その中間部は、Ｖ型に折り曲げられて他方の連結材側に突出された断面三角形状の突出部が長手方向に沿って形成された面と、この面の両端に連続して形成されかつ端部が前記突出部の頂部よりも突出している傾斜面とを備えて側面台形状に形成され、
前記第１の連結材のパネル連結部または第２の連結材のいずれか他方は、略長板状に形成されるとともに、その長手方向に沿って凹溝部が形成され、
前記凹溝部には、交差配置される線材の一方が配置され、
前記突出部の頂部と他方の連結材間には、交差配置される線材の他方および前記接合部材が配置され、
前記突出部と前記他方の連結材とで、前記各線材および接合部材の接合部を挟持している網状パネルの連結部材。
【請求項４】
前記第１の連結材のパネル連結部は、略長板状に形成され、その中間部は、Ｖ型に折り曲げられて第２の連結材側に突出された断面三角形状の突出部が長手方向に沿って形成された面と、この面の両端に連続して形成されかつ端部が前記突出部の頂部よりも突出している傾斜面とを備えて側面台形状に形成され、
前記第２の連結材は、略長板状に形成されるとともに、その長手方向に沿って凹溝部が形成され、
前記第２の連結材の凹溝部には、交差配置される線材の一方が配置され、
前記第１の連結材の突出部の頂部と第２の連結材間には、交差配置される線材の他方および前記接合部材が配置され、
前記第１の連結材の突出部と前記第２の連結材とで、前記各線材および接合部材の接合部を挟持している請求項３に記載の網状パネルの連結部材。
【発明の詳細な説明】
【０００１】
【発明の属する技術分野】
本発明は、網状パネルの連結部材に係り、テラスや、パーゴラ、フェンス、トレリス、蔓植物等を絡ませるようにした植栽壁、門柱、門扉、アーチ、庇、手摺壁、テーブル、ベンチなどとして用いられる網状パネル同士あるいは網状パネルを壁や支柱などの支持体に連結する連結部材に関する。
【０００２】
【背景技術】
従来より、住宅等の建物の周りに塀（フェンス）を回して隣地との境界を明らかにすることが行われている。このような塀としては、コンクリート製のブロックを積み上げて形成したブロック塀が多く利用されている。
【０００３】
このブロック塀は、大きな強度を有している反面、重量が大きく、脆いので、地震などで傾いたり倒壊した場合などの後処理等に手間がかかる。
【０００４】
このため、ブロック塀の代わりとして、金網で構成されたメッシュフェンスを用いることが行われている。メッシュフェンスにおいては、金網を用いることで、軽量であるうえ、地震等でばらばらに崩れ落ちる心配がない。
そして、このようなメッシュフェンスに用いられる金網は、金属製の横線材と縦線材とを格子状に編んだり、交差部分を溶接等で接合して形成される。
【０００５】
【発明が解決しようとする課題】
ところで、このようなメッシュフェンスは、通常、所定の大きさの網状パネル（メッシュパネル）を予め工場などで製作し、建物の敷地に輸送した後、現場で設置される。この際、各パネル同士は、実開昭５８−１６２９４５号公報に記載されるような連結金具を用いて接合されていた。
しかしながら、従来の連結金具は、網状パネルの各線材の結合部を避けてその近傍に配置されていたため、連結金具部分に荷重が加わると、その荷重が溶接等で結合されている２つの線材の内の一方の線材に伝わり、その荷重方向が各線材を離す方向であると、連結金具に近接する線材の接合部分が剪断などで離れてしまう虞があった。
このような問題は、網状パネル同士を連結する場合に限らず、例えば、網状パネルでテラスなどを構成する場合のように、網状パネルと躯体等の支持体とを連結する場合にも同様であった。
【０００６】
本発明の目的は、荷重が加わっても網状パネルの線材の接合部において各線材が離れずにその接合状態を維持できる網状パネルの連結部材を提供することにある。
【０００７】
【課題を解決するための手段】
本発明は、交差配置された複数の線材を接合して構成されるとともに、所定間隔をおいて互いに対向配置された一対の網体と、これらの網体同士を接合する接合部材とで立体的に構成された網状パネル同士を連結する網状パネルの連結部材であって、前記一方の網体と接合部材との接合位置において各網状パネル（網体）に跨って配置される第１の連結材と、前記第１の連結材に対して各網状パネル（網体）の前記一方の網体を挟んで配置される第２の連結材と、第１および第２の連結材によって各網状パネル（網体）における前記一方の網体の線材と接合部材との接合部をそれぞれ挟持した状態に、各連結材同士を結合する結合部材と、を備えて構成され、前記接合部材は、ジグザグ状に折曲され、各網体における線材の交差部に接合され、前記第１の連結材は、各網状パネルに連結される２つのパネル連結部と、これらのパネル連結部同士を回動自在に連結するピンとを備えたヒンジ構造とされて各網状パネルに跨って配置され、前記第１の連結材の各パネル連結部または第２の連結材のいずれか一方は、略長板状に形成され、その中間部は、Ｖ型に折り曲げられて他方の連結材側に突出された断面三角形状の突出部が長手方向に沿って形成された面と、この面の両端に連続して形成されかつ端部が前記突出部の頂部よりも突出している傾斜面とを備えて側面台形状に形成され、前記第１の連結材の各パネル連結部または第２の連結材のいずれか他方は、略長板状に形成されるとともに、その長手方向に沿って凹溝部が形成され、前記凹溝部には、交差配置される線材の一方が配置され、前記突出部の頂部と他方の連結材間には、交差配置される線材の他方および前記接合部材が配置され、前記突出部と前記他方の連結材とで、前記各線材および接合部材の接合部を挟持していることを特徴とするものである。
【００１０】
本発明では、各網状パネル同士を連結する第１および第２の連結材で、各線材と接合部材との接合部を挟持しているので、連結部材に荷重が加わっても、各線材および接合部材の接合部は各連結材で挟持されて押さえられているので、各線材および接合部材が離れることがなく接合状態を確実に維持することができる。
特に、各線材同士の接合部と、これらの線材と接合部材との接合部との両方をまとめて各連結材で挟持すれば、それらの接合部を有する立体的な網状パネル同士を連結する場合も、線材同士や線材と接合部材とが離れてしまうことがなく、接合状態を効果的に維持することができる。
【００１１】
また、前記第１の連結材は、前記各網状パネルに連結されるパネル連結部同士が、互いに回動自在に連結されているので、各パネル連結部に連結される網状パネル同士もそのパネル間の角度を自由に設定できる。このため、敷地のコーナー部分などに様々な角度で配置されるパネル同士をそのパネル間の角度に応じて各パネル連結部を配置して確実に連結できる。このため、各パネルの配置角度毎に複数種類の連結部材を用意する必要もなく、１種類の連結部材で連結できるため、コストを低減できるとともに、各パネルの配置角度に多少誤差があっても、パネル連結部の角度を調整することで吸収できるので、連結作業性を向上できる。
【００１２】
ここで、請求項１に記載の発明においては、前記第１の連結材の各パネル連結部は、略長板状に形成され、その中間部は、Ｖ型に折り曲げられて他方の連結材側に突出された断面三角形状の突出部が長手方向に沿って形成された面と、この面の両端に連続して形成されかつ端部が前記突出部の頂部よりも突出している傾斜面とを備えて側面台形状に形成され、前記第２の連結材は、略長板状に形成されるとともに、その長手方向に沿って凹溝部が形成され、前記第２の連結材の凹溝部には、交差配置される線材の一方が配置され、前記第１の連結材の各パネル連結部における突出部の頂部と第２の連結材間には、交差配置される線材の他方および前記接合部材が配置され、前記第１の連結材の突出部と前記第２の連結材とで、前記各線材および接合部材の接合部を挟持しているものでもよい。
【００１４】
また、請求項３に記載の発明は、交差配置された複数の線材を接合して構成されるとともに、所定間隔をおいて互いに対向配置された一対の網体と、これらの網体同士を接合する接合部材とで立体的に構成された網状パネルを支持体に連結する網状パネルの連結部材であって、前記一方の網体と接合部材との接合位置に配置されるとともに支持体に取り付けられる第１の連結材と、前記第１の連結材に対して前記一方の網体を挟んで配置される第２の連結材と、第１および第２の連結材によって網状パネルにおける前記一方の網体の線材と接合部材との接合部を挟持した状態に、各連結材同士を結合する結合部材と、を備えて構成され、前記接合部材は、ジグザグ状に折曲され、各網体における線材の交差部に接合され、前記第１の連結材は、前記網状パネルに連結されるパネル連結部と、支持体に連結される支持体連結部と、これらのパネル連結部および支持体連結部を回動自在に連結するピンとを備えたヒンジ構造とされ、前記第１の連結材のパネル連結部または第２の連結材のいずれか一方は、略長板状に形成され、その中間部は、Ｖ型に折り曲げられて他方の連結材側に突出された断面三角形状の突出部が長手方向に沿って形成された面と、この面の両端に連続して形成されかつ端部が前記突出部の頂部よりも突出している傾斜面とを備えて側面台形状に形成され、前記第１の連結材のパネル連結部または第２の連結材のいずれか他方は、略長板状に形成されるとともに、その長手方向に沿って凹溝部が形成され、前記凹溝部には、交差配置される線材の一方が配置され、前記突出部の頂部と他方の連結材間には、交差配置される線材の他方および前記接合部材が配置され、前記突出部と前記他方の連結材とで、前記各線材および接合部材の接合部を挟持していることを特徴とするものである。
【００１５】
本発明においても、網状パネルおよび支持体を連結する第１および第２の連結材で、各線材と接合部材との接合部を挟持しているので、連結部材に荷重が加わっても、各線材および接合部材の接合部は各連結材で挟持されて押さえられているので、各線材および接合部材が離れることがなく接合状態を維持することができる。
特に、各線材同士の接合部と、これらの線材と接合部材との接合部との両方をまとめて各連結材で挟持すれば、それらの接合部を有する立体的な網状パネル同士を連結する場合も、線材同士や線材と接合部材とが離れてしまうことがなく、接合状態を効果的に維持することができる。
【００１６】
また、前記第１の連結材は、前記網状パネルに連結されるパネル連結部と、支持体に連結される支持体連結部とが、互いに回動自在に連結されているので、支持体に対する網状パネルの配置角度を自由に設定できる。このため、例えば、建物の外壁に取り付けられた支持体に取り付けられてテラスの天井面部分を形成する網状パネルの配置角度を適宜変更しても、前記連結部材で確実に連結できる。このため、パネルの支持体に対する配置角度毎に複数種類の連結部材を用意する必要もなく、１種類の連結部材で連結できるため、コストを低減できるとともに、パネルの配置角度に多少誤差があっても、パネル連結部の角度を調整することで吸収できるので、連結作業性を向上できる。
ここで、請求項３に記載の発明においては、前記第１の連結材のパネル連結部は、略長板状に形成され、その中間部は、Ｖ型に折り曲げられて第２の連結材側に突出された断面三角形状の突出部が長手方向に沿って形成された面と、この面の両端に連続して形成されかつ端部が前記突出部の頂部よりも突出している傾斜面とを備えて側面台形状に形成され、前記第２の連結材は、略長板状に形成されるとともに、その長手方向に沿って凹溝部が形成され、前記第２の連結材の凹溝部には、交差配置される線材の一方が配置され、前記第１の連結材の突出部の頂部と第２の連結材間には、交差配置される線材の他方および前記接合部材が配置され、前記第１の連結材の突出部と前記第２の連結材とで、前記各線材および接合部材の接合部を挟持しているものでもよい。
【００１７】
なお、前記各発明の連結部材は、一方の連結材に一方の線材をガイドする凹溝部を形成し、他方の連結材に一方の連結材に向かって突出する突出部を形成し、この突出部の頂点部分を他方の線材に直交するように配置して、各連結材をビスなどの結合部材で結合している。
このような連結部材を用いれば、互いに接合された２本の線材を、一方の線材を凹溝部に保持し、他方の線材を突出部の先端に当接させて挟持するため、各線材の接合部を確実に挟持することができる。
【００１８】
また、２枚の網体を接合部材で接合して立体的な網状パネルを構成した際に、接合部材がジグザグ状に折曲されて各折曲部で網体の各線材同士の接合部に溶接等で固定されている場合に、前記連結材の突出部の傾斜面の角度を接合部材の折曲部の折曲角度に合わせれば、前記連結材の突出部の頂点部分が接合部材の折曲部に確実に当接するため、第１および第２の連結材によって、接合部材の折曲部および各線材の接合部をまとめてかつ確実に挟持することができる。
【００１９】
【発明の実施の形態】
以下、本発明の実施形態を図面に基づいて説明する。
図１は、本発明の連結部材を用いて網状パネル２０を連結することで形成されたテラス１０の概略構成が示されている。
【００２０】
テラス１０は、端部で連結された２枚の網状パネル２０を、建物の壁や支柱等の躯体５と、基礎２や地面等との間に取り付けることで構成されている。
【００２１】
各網状パネル２０は、図２〜４に示すように、離間して対向配置された大網体２１およびこれよりも一回り小さい小網体２２と、これらの大、小網体２１，２２の面状部分同士を接合する複数の接合部材２３とで構成され、正面矩形状で断面台形状の立体形とされている。
【００２２】
大網体２１は、短辺側に沿った第１交差部材としての複数の短尺線材２１１と、長辺側に沿った第２交差部材としての複数の長尺線材２１２とを交差状に配置して接合した矩形状となっており、このとき、複数の短、長尺線材２１１，２１２で小区画される開口部分が四角形（本実施形態では略正方形）とされ、長尺線材２１２が表面側となるように短尺線材２１１に接合されている。
【００２３】
小網体２２も同様な構成とされ、複数の短尺線材２２１および長尺線材２２２が交差状に配置されて矩形状となっており、このとき、複数の短、長尺線材２２１，２２２で小区画される開口部分が四角形（本実施形態では略正方形）とされ、長尺線材２２２が表面側となるように短尺線材２２１に接合されている。但し、短、長尺線材２２１，２２２の本数は、大網体２１の短、長尺線材２１１，２１２よりも一本ずつ少なく、つまり、小区画された開口部分が短、長辺側で一列少なくなっている。
【００２４】
接合部材２３は、正面から見て等ピッチで９０度折曲したジグザグ状とされ、網状パネル２０の短辺方向（各短尺線材２１１，２２１）に沿って連続している。なお、接合部材２３の折曲角度は９０度に限定されず、大、小網体２１，２２の離間寸法、および各網体２１，２２に小区画された開口部分の大きさや形状によって任意に決定されてよい。また、接合部材２３を長辺方向（各長尺線材２１２，２２２）に沿って連続させてもよい。
【００２５】
そして、以上の短、長尺線材２１１，２１２，２２１，２２２および接合部材２３は、例えばアルミ製で同一断面形状（断面寸法）の線材からなる。なお、各部材は、これに限らず、アルミ以外の金属線材や硬質の樹脂線材を用いてもよく、また、接合の作業性を勘案し、各部材の太さや断面形状などを異ならせてもよい。特に断面形状としては、円形であることが通常容易に入手可能な線材を用いることができるので好ましいが、その他、楕円形、三角形、四角形、その他の多角形など、任意の断面形状であってよい。さらに、各部材の接合方法は、溶接の他、融着、接着、鑞付け、線材等による結束、他部材による結合など、各部材の材質や形状等を勘案して適宜に決められてよい。
【００２６】
小網体２２は、短、長尺線材２２１，２２２が大網体２１の短、長尺線材２１１，２１２の中間位置に配置され、大網体２１の中央に位置している。これによって、小網体２２の短、長尺線材２２１，２２２の各交差位置が大網体２１の小区画された各開口部分の中心の上方に位置し、大網体２１の短、長尺線材２１１，２１２の交差位置と小網体２２の短、長尺線材２２１，２２２の交差位置とが０．５ピッチずれて平面的に重ならないようになっている。また、このことにより、小区画された開口部分は見かけ上さらに小さく区画され、見かけ上の開口面積が小さくなる。
また、接合部材２３は、図４に示すように、各折曲部２３Ａが短、長尺線材２１１，２１２，２２１，２２２の交差位置部分に接合されている。
【００２７】
テラス１０において、各網状パネル２０同士は、図５，６に示すような、連結部材１００を用いて連結されている。
連結部材１００は、アルミやステンレスなどの金属材で形成された第１の連結材１１０と、同様の金属材で形成された第２の連結材１２０と、これらを結合する結合部材であるビス１３０とで構成されている。
【００２８】
第１の連結材１１０は、各網状パネル２０に連結される２つのパネル連結部１１１と、これらのパネル連結部１１１同士を回動自在に連結するピン１１２とを備えたヒンジ構造とされており、各網状パネル２０に跨って配置される。
各パネル連結部１１１は、略長板状に形成され、その両端部に前記ビス１３０が螺合される雌ねじ部１１１Ａが形成されている。また、その中間部は、全体として側面台形状に折曲されている。
さらに、中間部は、プレス加工等によってＶ字状の溝部１１１Ｂ（反対側から見れば断面三角形状の突出部１１１Ｃ）が、前記各パネル連結部１１１の長手方向に沿って形成されている。
【００２９】
第２の連結材１２０は、略長板状に形成され、その両端部には、各パネル連結部１１１の雌ねじ部１１１Ａに対応した位置に形成されて前記ビス１３０が挿通されるビス穴１２０Ａが形成されている。また、その長手方向に沿って断面半円状の凹溝部１２０Ｂが形成されている。従って、第２の連結材１２０の凹溝部１２０Ｂと、第１の連結材１１０のＶ溝部１１１Ｂ（突出部１１１Ｃ）は同じ方向に沿って形成されている。
【００３０】
そして、前記第２の連結材１２０は、それぞれ各網状パネル２０の各網体２１の内面側に配置されている。つまり、連結材１２０は、天井部分を構成する網状パネル２０に対しては、下側に配置された網体２１の下面側に配置され、側面部分を構成する網状パネル２０に対しては、内側に配置された網体２１の内面側（建物躯体５側）に配置されている。そして、前記凹溝部１２０Ｂに、線材２１２が納まるように配置されている。
【００３１】
一方、第１の連結材１１０は、各網状パネル２０の各網体２１の外面側に配置されている。つまり、連結材１１０は、天井部分を構成する網状パネル２０に対しては、下側に配置された網体２１の上面側に配置され、側面部分を構成する網状パネル２０に対しては、内側に配置された網体２１の外面側に配置されている。そして、連結材１１０の突出部１１１Ｃが連結材１２０側となる向きとされて、接合部材２３の折曲部２３Ａに前記突出部１１１Ｃを配置している。この際、前記突出部１１１Ｃの２つの傾斜面１１１Ｄの角度は、接合部材２３の折曲部２３Ａの折曲角度以下とされているため、接合部材２３の折曲部２３Ａに配置された際に、突出部１１１Ｃの頂点が折曲部２３Ａに確実に当接するようにされている。
【００３２】
これらの各連結材１１０，１２０は、前記ビス１３０によって結合されており、この際、接合部材２３と長尺線材２２１とは共に線材２１２上に配置されて固定されているため、線材２１２と線材２２１および接合部材２３とは各連結材１１０，１２０の突出部１１１Ｃおよび凹溝部１２０Ｂで挟持されている。
【００３３】
また、各連結材１１０の各パネル連結部１１１において、雌ねじ部１１１Ａが形成された端部は、突出部１１１Ｃの頂部よりも突出しているため、その雌ねじ部１１１Ａに繋がる傾斜面１１１Ｅに長尺線材２１１が当接している。さらに、接合部材２３は各連結材１１０に対して斜めに配置されているため、折曲部２３Ａに近い部分が各連結材１１０に当接することになる。これにより、連結部材１００に対して網状パネル２０が線材２１２の長手方向に移動することと、長尺線材２１１の長手方向に移動することが防止されている。
【００３４】
従って、連結部材１００によって各網状パネル２０は、互いに角度調整可能にかつ連結部材１００に対して移動不可能に連結されている。
なお、壁部分を構成する網状パネル２０の下端部は、図１に示すように、基礎２に埋設された支柱６に適宜な固定金具等で固定されている。
【００３５】
一方、建物の壁などの躯体５側には、図７，８に示すような連結部材３００によって、網状パネル２０が取り付けられている。
この躯体５には、支持体としての垂木掛け部材３５０がボルト止めされている。垂木掛け部材３５０は、躯体５にボルト止めされかつ左右方向に延長されたベース部３５１と、このベース部３５１に形成されたガイド溝３５１Ａ内にスライド移動可能に配置された固定板３５２とを備えている。
【００３６】
連結部材３００は、アルミやステンレスなどの金属材で形成された第１の連結材３１０と、同様の金属材で形成されて前記連結部材１００のものと同一の第２の連結材１２０と、これらを結合する結合部材であるビス１３０とで構成されている。
【００３７】
第１の連結材３１０は、網状パネル２０に連結されるパネル連結部３１１と、支持体である前記垂木掛け部材３５０の固定板３５２に連結される支持体連結部３１２と、これらのパネル連結部３１１および支持体連結部３１２を回動自在に連結するピン３１３とを備えたヒンジ構造とされている。
【００３８】
支持体連結部３１２は、略四角板状に形成され、ボルト３５３で固定板３５２に固定され、固定板３５２と共にベース部３５１に対して左右方向に移動可能とされている。
【００３９】
パネル連結部３１１は、前記連結部材１００のパネル連結部１１１と同様の形状とされている。すなわち、パネル連結部３１１は、略長板状に形成され、その両端部に前記ビス１３０が螺合される雌ねじ部３１１Ａが形成されている。また、その中間部は、全体として側面台形状に折曲されている。
さらに、中間部は、プレス加工等によってＶ字状の溝部３１１Ｂ（反対側から見れば断面三角形状の突出部３１１Ｃ）が、パネル連結部３１１の長手方向に沿って形成されている。
【００４０】
連結部材３００の第２の連結材１２０も、その凹溝部１２０Ｂが、第１の連結材３１０のＶ溝部３１１Ｂ（突出部３１１Ｃ）と同じ方向となるように形成されている。
【００４１】
そして、連結部材３００においても、前記第２の連結材１２０は、網状パネル２０の網体２１の内面側、つまり天井部分を構成する網状パネル２０において、下側に配置された網体２１の下面側に配置されている。そして、前記凹溝部１２０Ｂに、線材２１２が配置されるように設けられている。
【００４２】
一方、第１の連結材３１０も、第１の連結材１１０と同じく、天井部分を構成する網状パネル２０に対して、下側に配置された網体２１の上面側に配置されている。そして、連結材３１０の突出部３１１Ｃが連結材１２０側となる向きとされて、接合部材２３の折曲部２３Ａに前記突出部３１１Ｃを配置している。この際も、前記突出部３１１Ｃの２つの傾斜面３１１Ｄの角度は、接合部材２３の折曲部２３Ａの折曲角度以下とされているため、接合部材２３の折曲部２３Ａに配置された際に、突出部３１１Ｃの頂点が折曲部２３Ａに確実に当接するようにされている。
【００４３】
これらの各連結材３１０，１２０は、前記ビス１３０によって結合されており、線材２１２と線材２２１および接合部材２３とは各連結材３１０，１２０の突出部３１１Ｃおよび凹溝部１２０Ｂで挟持されている。
【００４４】
また、連結部材３００においても、第１の連結材３１０の傾斜面３１１Ｅなどが線材２１１や接合部材２３に係合することで、連結部材３００に対する網状パネル２０の移動が防止されている。
従って、連結部材３００によって網状パネル２０は、前記垂木掛け部材３５０つまりは躯体５に対して角度調整可能に連結されている。
【００４５】
このようなテラス１０は、例えば、次のような手順で設置される。すなわち、まず、垂木掛け部材３５０を躯体５に予めボルト止めしておく。一方、各網状パネル２０を前記連結部材１００を用いて連結し、躯体５に取り付けられる網状パネル２０の躯体５側端部に連結部材３００を取り付けておく。
【００４６】
次に、連結部材３００を、垂木掛け部材３５０の固定板３５２にボルト３５３で固定する。この際、前記各連結部材１００，３００は回動自在に構成されているため、天井用の網状パネル２０は躯体５に近接した位置に配置され、壁用の網状パネル２０は基礎２に沿った位置に配置される。
【００４７】
その後、作業者が各網状パネル２０の連結部分を押し上げるなどして、図１の状態になるまで網状パネル２０を立ち上げる。そして、基礎２に埋設しておいた支柱６に網状パネル２０を挿入して固定し、テラス１０を構成する。
【００４８】
このような本実施形態によれば、以下のような効果がある。
(1)各網状パネル２０同士を連結する連結部材１００や、網状パネル２０と躯体５側の支持体である垂木掛け部材３５０とを連結する連結部材３００において、第１の連結材１１０，３１０および第２の連結材１２０で、各線材２１２，２１１、接合部材２３の接合部を挟持しているので、連結部材１００，３００に荷重が加わっても、各線材２１１，２１２、接合部材２３の接合部は各連結材１１０，３１０，１２０で挟持されて押さえられているため、各線材２１２，２１１、接合部材２３が離れることがなく接合状態を確実に維持することができる。
【００４９】
(2)第１の連結材１１０，３１０に突出部１１１Ｃ，３１１Ｃ（Ｖ溝部１１１Ｂ，３１１Ｂ）を形成し、その頂点部分を線材２１１や接合部材２３に当接させて挟持するようにしたので、各線材２１１，２１２，接合部材２３の接合部を確実に当接して挟持することができる。
特に、突出部１１１Ｃ，３１１Ｃの傾斜面１１１Ｄ，３１１Ｄの交差角度を、接合部材２３の折曲角度以下にしたので、突出部１１１Ｃ，３１１Ｃが接合部材２３の中途半端な点で接することがなく、線材２１１，２１２に溶接される折曲部２３Ａに確実に当接してその接合部を押さえて固定することができる。
【００５０】
(3)また、第１の連結材１１０，３１０にＶ溝部１１１Ｂ，３１１Ｂを形成したので、このＶ型に曲げた部分がリブとなり、連結材１１０，３１０自身の剛性を高めることができる。
同様に、第２の連結材１２０においても、凹溝部１２０Ｂを形成したので、この部分がリブとなり、第２の連結材１２０の剛性も高めることができる。
【００５１】
(4)さらに、突出部１１１Ｃ，３１１Ｃは、ある程度の長さ形成されているため、この突出部１１１Ｃ，３１１Ｃの長手方向に対して直交配置される線材２１１、接合部材２３をその長さ範囲内の位置で確実に押さえることができる。
【００５２】
(5)第２の連結材１２０に凹溝部１２０Ｂを形成したので、第２の連結材１２０も各線材２１１，２１２の接合部に合わせて容易に位置決めすることができる。このため、第１の連結材１１０，３１０の雌ねじ部１１１Ａ，３１１Ａと、第２の連結材１２０のビス穴１２０Ａとの位置合わせも確実にかつ容易に行え、ビス１３０のねじ止め作業も簡単に行うことができる。
【００５３】
(6)連結部材１００のパネル連結部１１１同士や連結部材３００のパネル連結部３１１および支持体連結部３１２が回動自在であるため、各パネル連結部１１１に連結される網状パネル２０同士や、網状パネル２０と垂木掛け部材３５０との間の配置角度を自由に設定できる。このため、テラス１０において、天井側の網状パネル２０を水平に配置する場合でも、あるいは図１よりもより一層傾斜させる場合でも対応でき、各角度に応じて連結部材１００，３００を製造する必要がないため、部品種類を少なくでき、コストも低減できる。その上、各パネル２０の配置角度に多少誤差があっても、パネル連結部１１１、３１１の角度を調整することで吸収できるので、連結作業性を向上できる。
さらに、各パネル２０の配置角度などを変えることで、テラス１０の高さ寸法や出幅寸法（躯体５から立設された網状パネル２０部分までの長さ寸法）を簡単に変えることができる。このため、様々な敷地条件に応じて様々な形状、寸法のテラス１０を設置することができる。
【００５４】
(7)各連結部材１００，３００は、ビス１３０を用いて結合される第１の連結材１１０，２１０と第２の連結材１２０とで網状パネル２０の線材接合部を挟持して連結しているので、連結部材をかしめて連結する場合あるいは溶接などで連結する場合に比べて、網状パネル２０同士や網状パネル２０と垂木掛け部材３００とを容易に連結できて作業性を向上できる。その上、連結部材１００，３００は、ビス１３０を外して回収すれば、再利用することもでき、この点でもコストを低減できる。
【００５５】
(8)また、各連結部材１００，３００では、第２の連結材１２０やビス１３０は共通化できるため、部品点数を少なくできてコストもより低減できる。
【００５６】
(9)各連結部材１００，３００は、網状パネル２０の線材２１１，２１２、接合部材２３の接合部に配置される程度の小さな部材であり、網状パネル２０の線材がメッシュ状に組み合わされて全体として透明感があるという意匠性を損なうことなく、各網状パネル２０を連結することができる。
【００５７】
(10)軽量な網状パネル２０を用いてテラス１０を構成しているので、比較的大きなテラス１０を構成する場合でも、各網状パネル２０は人力で持ち上げることができる程度に軽量であるため、設置作業性を向上できる。
【００５８】
(11)その上、連結部材１００，３００は回動自在に設けられているため、躯体５に取り付ける際に、連結部材１００で連結済みの網状パネル２０の連結部材３００を、予め躯体５に固定された垂木掛け部材３５０にボルト止めして網状パネル２０の一方の端部を躯体５側に係止させた状態で、網状パネル２０を持ち上げてテラス１０を設置できるので、１人の作業者でもテラス１０の設置作業を行うことができ、作業効率を向上できる。
特に、網状パネル２０は、線材を網状に組んで構成されるため、１枚の網状パネル２０の自重は約４ｋｇ程度であり、１人の作業者でも十分に持ち上げることができる。
【００５９】
(12)連結部材３００を垂木掛け部材３５０の長手方向に沿ってスライド移動できるので、網状パネル２０の躯体５の壁面に沿った方向の設置位置を容易にかつ細かく調整することができる。
【００６０】
なお、本発明は、前記実施形態に限定されるものではない。
例えば、前記実施形態では、連結部材１００，３００は、網体２１，２２と接合部材２３とを備えて立体的に形成された網状パネル２０を連結していたが、１枚の網体のみで構成される平面的な網状パネル（メッシュフェンス）において各網体同士や各網体と支持体とを連結する際に用いてもよい。この場合も、各網体の線材接合部を第１の連結材１１０，３１０および第２の連結材１２０で挟持することで、その接合状態を確実に維持でき、前記実施形態と同様の作用効果を奏することができる。さらに、連結部材１００は、立体的な網状パネル２０と平面的な網状パネルとの連結に利用してもよい。
【００６１】
また、前記連結部材１００，３００としては、パネル連結部１１１同士や、パネル連結部３１１および支持体連結部３１２が互いに角度調整可能に設けられるものに限らず、それらの相対角度が固定されたものを用いてもよい。
さらに、前記実施形態では、第２の連結材１２０は、１つの連結材１１０，３１０に対して２つ設けられていたが、第１の連結材１１０，３１０と同様に各網状パネル２０等に跨って配置される１つの部材で構成してもよい。このように構成した場合には、特に、第１の連結材１１０，３１０の角度が固定されている場合に適している。そして、第１および第２の連結材の両方が、各網状パネル２０に跨って配置されるために、各網状パネル２０の支持強度も向上できる利点がある。
【００６２】
さらに、連結部材１００，３００における第１の連結材１１０，３１０および第２の連結材１２０の具体的な形状、構造は前記実施形態のものに限定されない。例えば、第１の連結材１１０，３１０としては、突出部１１１Ｃが形成されたものに限らず、例えば第２の連結材１２０と同様に、線材２１１および接合部材２３の折曲部２３Ａを保持可能な凹溝部を有するものでもよい。
同様に、第２の連結材１２０も、凹溝部１２０Ｂが形成されたものに限らず、突出部が形成されたものでもよい。要するに、各連結材１１０，３１０，１２０は、線材の接合部や線材および接合部材２３の接合部を挟持できる構造であればよい。
【００６３】
また、前記連結部材１００，３００における結合部材としてはビス１３０に限らず、例えば、面ファスナー等を用いてもよく、第１の連結材１１０，３１０および第２の連結材１２０を、網体を挟持して結合できるものであればよい。
【００６４】
前記各実施形態の網状パネル２０は、直交する二方向の断面においてトラス構造が形成されるようになっていたが、トラス構造としては、一方向から見た場合にのみ形成されるものであってもよい。
さらに、網状パネル２０としては、トラス構造を有するものに限定されず、両網体をその対向方向に沿った部材で連結した構造であってもよい。
また、網状パネル（網状パネルユニット）の平面形状は、四角形に限定されず、円形や楕円形など、曲線を含む平面形状であってもよく、任意である。
【００６５】
また、本発明の連結部材は、以上に説明したテラス１０を構成する場合に限らず、例えば、壁部分を構成する２枚の網状パネル２０と、これらの２枚の網状パネル２０間を連結して天井部分を構成する網状パネル２０とを組み合わせることでパーゴラを構成する際に利用してもよい。
さらに、本発明の連結部材は、テラスやパーゴラを構成する場合に限らず、フェンス、植栽壁、門扉、門柱、トレリス、アーチ、庇、手摺壁、テーブル、ベンチ、カーポート、東屋、バルコニーのデッキ部分、室内の天井等に用いられる網状パネル同士やそれらの網状パネルを支柱、壁などの支持体に連結する場合に用いてもよい。
【００６６】
【発明の効果】
以上に述べたように、本発明によれば、連結部材に荷重が加わっても、網状パネルの線材の接合部や線材および接合部材の接合部において、各線材や接合部材が離れることを防止でき、その接合状態を確実に維持できるという効果がある。
【図面の簡単な説明】
【図１】本発明の一実施形態である連結部材を用いたテラスを示す概略側面図である。
【図２】本実施形態で用いられる網状パネルを示す正面図である。
【図３】図２の矢印III−IIIから見た断面図である。
【図４】前記網状パネルの一部を示す斜視図である。
【図５】本実施形態において網状パネル同士を連結する連結部材を示す側面図である。
【図６】本実施形態において網状パネル同士を連結する連結部材を示す分解斜視図である。
【図７】本実施形態において網状パネルと支持体とを連結する連結部材を示す側面図である。
【図８】本実施形態において網状パネルと支持体とを連結する連結部材を示す分解斜視図である。
【符号の説明】
２…基礎、５…躯体、６…支柱、１０…テラス、２０…網状パネル、２１…大網体、２２…小網体、２３…接合部材、２３Ａ…折曲部、１００…連結部材、１１０…第１の連結材、１１１…パネル連結部、１１１Ａ…雌ねじ部、１１１Ｂ…Ｖ溝部、１１１Ｃ…突出部、１１１Ｄ，１１１Ｅ…傾斜面、１１２…ピン、１２０…第２の連結材、１２０Ａ…ビス穴、１２０Ｂ…凹溝部、１３０…ビス、２１１，２１２，２２１，２２２…線材、３００…連結部材、３１０…第１の連結材、３１１…パネル連結部、３１１Ａ…雌ねじ部、３１１Ｂ…Ｖ溝部、３１１Ｃ…突出部、３１１Ｄ，３１１Ｅ…傾斜面、３１２…支持体連結部、３１３…ピン、３５０…垂木掛け部材、３５１…ベース部、３５２…固定板、３５３…ボルト。
【図１】
0003784604.tif 000002
【図２】
0003784604.tif 000003
【図３】
0003784604.tif 000004
【図４】
0003784604.tif 000005
【図５】
0003784604.tif 000006
【図６】
0003784604.tif 000007
【図７】
0003784604.tif 000008
【図８】
0003784604.tif 000009